(57)【特許請求の範囲】
【請求項１】
機体ベースと、このベースに支持されたモータ駆動の駆動ギアと、刃部を有し基端側において前記ベースに固定される固定刃と、この固定刃の刃部と対向する刃部を有し中間部において前記固定刃の中間部に相互に交差、開放可能に枢着され基端側に前記駆動ギアに噛み合う半月ギアを有する可動刃と、この可動刃と前記ベースとの間に介設され、可動刃の最大開放位置においては交差方向へ、また最大交差位置においては開放方向へ可動刃を回転付勢し、前記可動刃の最大開放位置又は最大交差位置において前記駆動ギアが可動刃の開放方向又は交差方向へ回転を継続するときに、前記半月ギアの端部の歯と駆動ギアの歯との接触を保ちながら滑らせて駆動ギアの逆転時に半月ギアを継続噛合させるばねとを具備することを特徴とする電動カッタ。
【請求項２】
前記ベースに対して着脱自在の支持棒をさらに具備することを特徴とする請求項１に記載の電動カッタ。
【請求項３】
前記固定刃と可動刃の刃部が、相対向する円弧状に形成されていることを特徴とする請求項１に記載の電動カッタ。
【発明の詳細な説明】
【０００１】
【発明の属する技術分野】
この発明は、竹や立ち木を地上５〜６ｍの位置で切断して芯止めする作業等に使用するのに適した電動カッタに関するものである。
【０００２】
【従来の技術】
従来、電動ケーブルカッタとして、例えば特開平６−３３５８２０号の公報に記載されたものが知られている。この電動ケーブルカッタは、電動モータに結合され出力軸に駆動ギアを有する減速機構と、この減速機構の固定部に固定される固定刃と、この固定刃に回動自在に枢着され外周縁に扇形歯車を有する回転刃とを具備し、回転刃の扇形歯車が減速機構の駆動ギアに噛み合っている。そして、固定刃と回転刃との間にケーブルを挟み、回転刃を電動モータ駆動で固定刃と交差させるように回動させてケーブルを切断するものである。回転刃の扇形歯車が歯列の端を超えて駆動ギアから離脱した状態で固定刃と回転刃との間が開放されるので、両者間に側方からケーブルを挿入できるようになっている。そして、固定刃と回転刃との間にケーブルを挿入してから、扇形歯車の端を駆動ギアに噛み合わせるように回転刃をセットし、切断動作を行う。
【０００３】
【発明が解決しようとする課題】
上記従来の電動カッタは、扇形歯車の端を駆動ギアに噛み合わせるために、手元で回転刃のセットを行う必要があるから、手元から離れた高所にある切断対象を地上から切断するような作業には使用できないし、手元での切断作業でも回転刃のセット操作が面倒であるという難点がある。
従って、本発明は、切断動作前に回転刃のセットを手元で行う必要がなく、手元から離れた位置にある切断対象を切断する場合でも、いちいち手元へ戻さずに切断作業を継続することができる電動カッタを提供することを課題としている。
【０００４】
【課題を解決するための手段】
本発明においては、上記課題を解決するため、ベース１に電動モータ２につながる減速機３と固定刃４とを固定し、減速機３の出力軸には駆動ギア５を固定する。固定刃４には可動刃６の中間部を枢着し、可動刃６の基端側の半月ギア８を駆動ギア５に噛み合わせる。そして、可動刃６とベース１との間にばね９を介設し、可動刃６の最大開放位置又は最大交差位置において電動モータ２が回転を継続するときに、半月ギア８の端部の歯と駆動ギア５の歯とを接触を保ちながら滑らせて、駆動ギア５の逆転時に半月ギア８を継続噛合させるようにして電動カッタを構成した。
【０００５】
【発明の実施の形態】
図面を参照して本発明の一実施形態を説明する。図１はカッタの刃を開放した状態の正面図、図２はカッタの刃の中立状態の正面図、図３はカッタの刃を交差させた状態の正面図、図４はカッタの使用状態の説明図である。
【０００６】
図において、１は機体ベースで、このベース１に、モータ２、減速機３、固定刃４が固定されている。減速機３はモータ２に連結され、出力軸には駆動ギア５が固着されている。
【０００７】
固定刃４は、中間部を境に先端側に円弧状の刃部４ａを、また基端側に柄部４ｂを有し、柄部４ｂの基端においてベース１に固定されている。
【０００８】
固定刃４の中間部には、可動刃６の中間部が枢軸７で枢着されている。可動刃６は、中間部を境に先端側に円弧状の刃部６ａを、また基端側に柄部６ｂを有する。刃部６ａは、固定刃４の刃部４ａと対向し、両者間に竹や立ち木のような切断対象Ａを包囲するように配置されている。柄部６ｂの基端には、半月ギア８が固着されている。半月ギア８は、円弧状の周縁に歯列を備えており、これが駆動ギア５に噛み合っている。従って、可動刃６は、モータ２の正逆回転により、刃部６ａを固定刃４の刃部４ａに対して相互間を開放し（図１）、又は閉鎖するように交差させる（図３）ことができる。半月ギア８は、図１に示す刃４，６の最大開放位置において一端側の歯が駆動ギア５に接し、図３に示す最大交差位置において他端側の歯が駆動ギア５に接するように構成されている。
【０００９】
可動刃６の柄部６ｂとベース２との間には、ばね９が介設されている。ばね９は、図１に示す可動刃６の最大開放位置においては、これを交差方向（図１において反時計方向）へ回転付勢し、可動刃６の回転中間位置（図２に示す中立位置）において死点を通過し、図３に示す最大交差位置においては、これを開放方向（図３において時計方向）へ回転付勢するように配置されている。従って、可動刃６の最大開放位置又は最大交差位置において、駆動ギア５が可動刃６の開放方向又は交差方向へ回転を継続するときに、半月ギア８の端部の歯と駆動ギア５の歯との相互の接触を保ちつつ、相互に滑り回転させて、可動刃６を停止させることができ、また駆動ギア５の逆転時には、その回転を即座に半月ギア８に伝えてこれを反対方向へ回転させることができる。なお、半月ギア８の歯列の両端には、それの歯形とほぼ同型の外形を有する案内ばね１０，１１が、端部の歯に連続するように配置されており、逆転開始時の駆動ギア５と半月ギア８との噛み合いを円滑にしている。
【００１０】
ベース１は、ジョイント部１２を介して支持棒１３に連結されている。ジョイント部１２は、支持棒１３に対するベース１の俯仰角を自在に調整できるようになっている。支持棒１２の手元には、モータ２の制御スイッチとバッテリが設けられており、操作者が地上で可動刃６の動作を制御できる。
【００１１】
このカッタを用いて、例えば、切断対象Ａである直立する竹の芯を地上数メートルの高さ位置で切断する場合には、ベース１に支持棒の先端を接続し、これでカッタの本体を捧げ持ち、手元スイッチを操作してモータ２を始動させ、可動刃６を開放位置へ回動させた状態で、竹の幹の所要高さ位置に当てがう。可動刃６が最大開放位置に達した後もモータ２が回転を継続する場合、ばね９が可動刃６を反時計方向へ引き戻すので、半月ギア８が端部の歯（この場合、案内ばね１０）を駆動ギア５に接触させたまま空転し、可動刃６の最大開放位置を維持する。可動刃６が最大開放位置に至ったことを確認したら、手元スイッチの操作でモータ２を停止し、竹の幹を刃４，６間に配置する。そして、手元スイッチを操作してモータ２を逆転させ、可動刃６を交差方向へ回動させる。可動刃６が交差位置に至る間に、竹Ａは刃部４ａ，６ａによって切断される。可動刃６が最大交差位置に達した後もモータ２が回転を継続する場合、ばね９が可動刃６を時計方向へ引き戻すので、半月ギア８が端部の歯（この場合、案内ばね１１）を駆動ギア５に接触させたまま空転し、可動刃６の最大交差位置を維持する。竹Ａの切断を確認したら、手元スイッチを操作してモータ２を停止し、次の切断作業に移る。
なお、本発明の電動カッタは、切断対象を竹や木に限定されることがなく、ケーブル、その他のものであってもよい。
【００１２】
【発明の効果】
以上のように、本発明においては、可動刃６とベース１との間にばね９を介設し、可動刃６の最大開放位置又は最大交差位置において電動モータ２が回転を継続するときに、半月ギア８の端部の歯と駆動ギア５の歯とを接触を保ちながら滑らせることで、駆動ギア５の逆転時に、半月ギア８をこれに間断なく噛み合させるようにしたため、可動刃６の最大開放位置又は最大交差位置におけるモータ２の停止を制御する複雑な機構を必要とせず、遠隔操作で可動刃６の開放、交差動作を制御することができる。
【図面の簡単な説明】
【図１】カッタの刃を開放した状態の正面図である。
【図２】カッタの刃の中立状態の正面図である。
【図３】カッタの刃を交差した状態の正面図である。
【図４】カッタの使用状態の説明図である。
【符号の説明】
１    ベース
２    モータ
３    減速機
４    固定刃
５    駆動ギア
６    可動刃
７    枢軸
８    半月ギア
９    ばね
１０  案内ばね
１１  案内ばね
１２  ジョイント部
１３  支持棒
【図１】
0004471437.tif 000002
【図２】
0004471437.tif 000003
【図３】
0004471437.tif 000004
【図４】
0004471437.tif 000005